(57)【特許請求の範囲】
【請求項１】
無線送受信ユニット（ＷＴＲＵ）によって行われる、無線リソース制御（ＲＲＣ）メッセージを処理する方法であって、
前記方法は、
ギャップコンフィギュレーションコマンドおよびギャップアクティベーションコマンドを含むＲＲＣメッセージを受信するステップと、
前記受信されたギャップコンフィギュレーションコマンドに基づいて測定ギャップコンフィギュレーション手順を行うステップと、
前記受信されたギャップアクティベーションコマンドに基づいて測定ギャップアクティベーション手順を行うステップと
を含むことを特徴とする方法。
【請求項２】
前記ＲＲＣメッセージが、測定制御メッセージであることを特徴とする請求項１に記載の方法。
【請求項３】
前記ＲＲＣメッセージが、複数の測定ギャップ・パラメータを含むことを特徴とする請求項１に記載の方法。
【請求項４】
前記測定ギャップ・パラメータが、１つの共通集合に結合されることを特徴とする請求項３に記載の方法。
【請求項５】
それぞれの手順についての情報要素（ＩＥ）を送信するステップであって、各ＩＥは、前記手順が全体として成功裏に完了したかどうか、前記手順が部分的に完了したかどうか、または前記手順が完了しなかったかどうかを示す、ステップをさらに含むことを特徴とする請求項１に記載の方法。
【請求項６】
無線送受信ユニット（ＷＴＲＵ）であって、
ギャップコンフィギュレーションコマンドおよびギャップアクティベーションコマンドを含む無線リソース制御（ＲＲＣ）メッセージを受信するように構成された受信機と、
前記受信されたギャップコンフィギュレーションコマンドに基づいて測定ギャップコンフィギュレーション手順を行うように、および前記受信されたギャップアクティベーションコマンドに基づいて測定ギャップアクティベーション手順を行うように構成された処理装置と
を備えたことを特徴とする無線送受信ユニット（ＷＴＲＵ）。
【請求項７】
前記ＲＲＣメッセージが、測定制御メッセージであることを特徴とする請求項６に記載の無線送受信ユニット（ＷＴＲＵ）。
【請求項８】
前記ＲＲＣメッセージが、複数の測定ギャップ・パラメータを含むことを特徴とする請求項６に記載の無線送受信ユニット（ＷＴＲＵ）。
【請求項９】
前記測定ギャップ・パラメータが、１つの共通集合に結合されることを特徴とする請求項８に記載の無線送受信ユニット（ＷＴＲＵ）。
【請求項１０】
それぞれの手順についての情報要素（ＩＥ）を送信するように構成された送信機であって、各ＩＥは、前記手順が全体として成功裏に完了したかどうか、前記手順が部分的に完了したかどうか、または前記手順が完了しなかったかどうかを示す、送信機をさらに備えたことを特徴とする請求項６に記載の無線送受信ユニット（ＷＴＲＵ）。
【発明の詳細な説明】
【技術分野】
【０００１】
本発明は無線通信システムに関する。
【背景技術】
【０００２】
３ＧＰＰ（3rd Generation Partnership Project）は近年、スペクトル効率の改善、待ち時間の削減、より速いユーザー体験、並びにより少ない費用によるより豊富なアプリケーションおよびサービスを提供するために、新しい技術、ネットワークの新しいアーキテクチャおよび構成設定、並びに無線セルラーネットワークへの新しいアプリケーションおよびサービスをもたらすＬＴＥ（Long Term Evolution）プログラムを開始した。ＬＴＥは、Ｅ−ＵＴＲＡＮ（Evolved Universal Terrestrial Radio Access Network：発展型ＵＴＲＡＮ）を実現することを目指している。
【０００３】
手続き仕様（procedural specification）の高水準構造と並んでＬＴＥのためのＲＲＣ（Radio Resource Control：無線リソース制御）メッセージを識別する試みが為されている。簡潔な仕様を達成するために、それらのメッセージのいくつかが一緒にグループ化され、同様な機能性を提供している。表１は、これらのメッセージのグルーピングの一例を示す。
【０００４】
【表１】
0005481373.tif 000002
【０００５】
【表２】
0005481373.tif 000003
【０００６】
上記で示されたようにＲＲＣ接続変更コマンドは、多くのコマンド（例えば、設定および再構成、セキュリティ・モード・コマンドおよび測定コマンド）を一緒にグループ化している。失敗メッセージに対しては、現在グループ化はされていない。唯一の失敗メッセージは、Message Failure（メッセージの失敗）を表す RRC Connection Change Failure（ＲＲＣ接続変更失敗）コマンドの使用である。そのようなメッセージのグルーピングは、特に無線接続変更コマンドおよび無線接続変更完了コマンドの場合において、追加的要因を考慮することを必要とするであろう。
【０００７】
別のＲＲＣ「Connection Change Failure（接続変更失敗）」メッセージも開示されているが、セキュリティおよび設定、または測定制御およびハンドオーバなどのメッセージのグループが、多くの問題を提起する。１つの問題は、メッセージの一部が失敗すると手順全体が失敗するか否かということである。例えば、セキュリティ部分が通り無線ベアラ設定部分が失敗する場合、または測定制御部分が失敗しハンドオーバ部分が通る場合があるかもしれない。別の問題としては、シナリオのどの組み合わせに関して手順の成功の宣言が為されたのかの判定がある。したがって、グループ化されたコマンド・メッセージを取り扱うための方法および装置に対する必要性が存在する。
【発明の概要】
【０００８】
メッセージ送信の部分的完了に際してのＲＲＣメッセージの送信を含む、ＲＲＣ（Radio Resource Control：無線リソース制御）メッセージングのための方法が開示される。ＲＲＣメッセージは、失敗した、または部分的に失敗した条件を表すＩＥ（information element：情報要素）をさらに備える。
【図面の簡単な説明】
【０００９】
添付図面に関連して例として与えられる以下の記述から、より詳細な理解を得ることができる。
【図１】本明細書で開示された方法を実施するように構成された一例の無線通信システムの図である。
【図２】ＲＲＣメッセージの取り扱いのために開示された方法の一例の信号図である。
【発明を実施するための形態】
【００１０】
用語「ＷＴＲＵ（Wireless Transmit/Receive Unit：無線送受信ユニット）」は、本明細書で参照される場合、限定的ではなく、ＵＥ（User Equipment：ユーザー端末）、移動局（mobile station）、固定式または移動式の加入者ユニット、ページャー、セルラー電話、ＰＤＡ（Personal Digital Assistant）、コンピューター、または無線環境において動作する能力のある他の種別のユーザー・デバイスをも含む。同様に、用語「基地局（base station）」は、限定的ではなく、ノードＢ（Ｎｏｄｅ−Ｂ）、サイト制御装置、ＡＰ（アクセス・ポイント）、または無線環境において動作する能力のある他の種別のインターフェイス・デバイスをも含む。
【００１１】
図１を参照すると、ＬＴＥ無線通信ネットワーク（ＮＷ）１０は、ＷＴＲＵ２０、１つまたは複数のノードＢ３０、および１つまたは複数のセル４０を備える。それぞれのセル４０は、処理装置３１を含む１つまたは複数のノードＢ（ＮＢまたはｅＮＢ）３０を備える。ＷＴＲＵ２０は処理装置２１を備える。処理装置２１および３１は、グループ化されたＲＲＣメッセージを取り扱うために開示された方法を実施するように構成される。
【００１２】
グループ化されたＲＲＣメッセージ手順の部分的失敗または部分的完了を取り扱うための方法および装置が開示される。ここで、ＲＲＣメッセージ中の複数の手順の内の１つによるそのような失敗を、そのＲＲＣ手順の成功したものを含む、当該ＲＲＣ手順のすべてが失敗と表すことなく、ノードＢにリレーすることが可能である。
【００１３】
この方法によると、ＷＴＲＵ２０がＲＲＣメッセージ（例えば、Radio Connection Change Command（無線接続変更コマンド））を受信すると、そのメッセージは処理のために処理装置２１に転送される。この明細書での開示のために、Radio Connection Change Command（無線接続変更コマンド）は複数のＲＲＣコマンドを含むことができる。例えば、Radio Connection Change Command（無線接続変更コマンド）に対するＲＲＣメッセージのグループ化において、RADIO SETUP（無線設定）、RRC CONNECTION SETUP（ＲＲＣ接続設定）、RRC CONNECTION RELEASE（ＲＲＣ接続解放）を含むことができる。
【００１４】
図２は、本明細書で開示された方法によるRRC Radio Connection Change（ＲＲＣ無線接続変更）を取り扱うための信号図の一例である。ＮＢ３０は、ＲＲＣコマンドのグループを含む、RRC Connection Change Command（ＲＲＣ接続変更コマンド）メッセージ２００をＷＴＲＵ２０に送信する。メッセージ２００を受信すると、ＷＴＲＵ２０の処理装置２１は、グループ化されたＲＲＣコマンドのそれぞれに関連付けられたＲＲＣ再構成およびその他の手順を開始する。
【００１５】
ＷＴＲＵ２０の処理装置２１は次に、それぞれの手順が首尾よく完了したか否かを判定するために、メッセージ２００に応答して実行されている手順のそれぞれの状態を監視する。処理装置２１によりそれぞれの手順２０３に関して判定が成されると、処理装置２１は、この情報を利用して、メッセージ２００が全体として首尾よく完了したか、部分的に完了したか、または完了に失敗したか、の表示２０４を生成する。本明細書で開示された方法および装置によると、この情報は、応答メッセージ２０１（例えば、RRC Connection Change Complete（ＲＲＣ接続変更完了）またはRRC Connection Change Failure（ＲＲＣ接続変更失敗））に含むことができるＩＥ（information element：情報要素）中に含まれる。
【００１６】
追加のＩＥ中にリレーされる情報は、ネットワーク構成設定に依存する。ＩＥの存在は例えば、ＲＲＣメッセージが部分的または完全に失敗したということ、ＲＲＣメッセージの部分的失敗のみがあったということ、およびＲＲＣメッセージが部分的または完全に完了したということ、をＮＢ３０に表すことができる。あるいはまたＩＥは、失敗の理由と並んで、ＲＲＣメッセージ中の何れの手順が失敗したかを表すことができる。
【００１７】
「Failed Configuration（失敗した構成設定）」または他の任意の名前で呼ばれるＩＥは、「設定（setup）」、「セキュリティ」、「測定構成設定」などの、列挙された値を保持することができる。失敗した構成設定ＩＥはまた、「失敗原因」と呼ばれるサブＩＥを含むことができ、これが必要であると考えられ、そして失敗の理由を示すことができる任意の他の情報をも含むことができる。例えば手順の部分的失敗があれば、当該ＩＥを含むＲＲＣの「Connection Change Complete（接続変更完了）」メッセージ２０１が、ＮＢ３０に送信され、そしてＮＢ処理装置３１により処理され、構成設定のどの部分が首尾よく完了しなかったかを表すことができる。
【００１８】
あるいは部分的成功の場合においては、ＷＴＲＵ２０は、例えば「Configuration Completed（構成設定完了済み）」または別の適当な名前で呼ばれるＩＥを含むＲＲＣ「Connection Change Failure（接続変更失敗）」メッセージ２０１を送信することができる。このConfiguration Completed（構成設定完了済み）ＩＥは、構成設定の部分が首尾よく完了したか否かを表す、「設定」、「セキュリティ」、「測定構成設定」などの、同様の列挙された値を保持することができる。ＩＥ「Configuration Completed（構成設定完了済み）」の中にサブＩＥが有って、例えば、その時点の「設定完了」または「セキュリティ・モード完了」コマンド、上り回線暗号化起動時刻情報、または開始値を含むことができる。
【００１９】
別の代替手段においては、構成設定において部分的成功がある場合には、成功した構成設定の詳細と並んで、ＲＲＣ「Connection Change Complete（接続変更完了）」メッセージ２０１を、「Partial Reconfiguration（部分的再構成）」または適当と考えられる他の任意の名前で指定されるＩＥとともに送信することができる。この代替手段によると、「Partial Reconfiguration（部分的再構成）」ＩＥは「正（ｔｒｕｅ）」の値、または「誤（ｆａｌｓｅ）」の値を持ち、別のメッセージが続くように設定されているか否かを表す。ＩＥが正に設定されているなら、ＲＲＣ「Connection Change Complete（接続変更完了」メッセージ２０１の後に、失敗した構成設定の詳細を含むことができるＲＲＣ「Connection Change Failure（接続変更失敗）」メッセージを続けることができる。
【００２０】
あるいは、部分的再構成について逆を為すことができる。ＲＲＣ「Connection Change Failure（接続変更失敗）」メッセージ２０１が失敗した構成設定の詳細と共に、「Partial Reconfiguration（部分的再構成）」または適当と考えられる他の任意の名前で指定されるＩＥと並んで最初に送信され、その後に首尾よく完了した構成設定の詳細と共にＲＲＣ「Connection Change Complete（接続変更完了）」メッセージを続けることができる。
【００２１】
あるいは、構成設定が部分的に成功したなら、ＲＲＣ「Connection Change Failure（接続変更失敗）」メッセージが送信され、何の情報をも構成しないことができる。しかしながらメッセージの結合は、その構成設定のすべての部分が通ることを期待されることになるため失敗の機会がより高くなるので、そのような処置が有益でない場合がある。
【００２２】
本明細書で開示された方法によると、一例の部分的構成設定は、ＲＲＣ「Connection Change Command（接続変更コマンド）」２００がセキュリティ・モード情報および無線ベアラ設定情報の両方を伝達する状況を含むことができる。物理チャネル障害などの、何らかの障害がある場合には、無線ベアラ設定は首尾よく完了することができないが、しかしセキュリティ手順は首尾よく完了することができる。この場合においては、セキュリティ手順は通ったことになるにもかかわらず、無線ベアラ設定情報が失敗することになるため、構成設定が部分的になされる。
【００２３】
別の例は、ハンドオーバが実行されていて、そしてＲＲＣ「Connection Change（接続変更）」コマンド２００がハンドオーバ情報および測定制御情報の両方を含んでいる場合である。障害、例えば無効な構成設定が発生し、測定パラメータを首尾よく構成できないが、ハンドオーバの方は成功しうるという場合がある。
【００２４】
別の例においては、ハンドオーバは首尾よく完了できないが、測定パラメータは首尾よく構成されうる。しかし、成功した測定制御構成設定は、確認メッセージを必要としない場合がある。したがって、ネットワークが測定制御情報を再度送信する必要がないように、値「測定」を有する、「Configuration Completed（構成設定完了済み）」として指定されたＩＥを含む、ＲＲＣ「Connection Change Failure（接続変更失敗）」メッセージがＮＢ３０に送信される。
【００２５】
本明細書で開示された方法によると、部分的再構成の内のあるインスタンスを許容することができない。例えば、セキュリティ・モード情報および無線ベアラ設定情報の両方を含むＲＲＣ「Connection Change Command（接続変更コマンド）」メッセージが無効構成設定などの障害に遭遇する場合には、セキュリティ・モード・コマンド・パラメータを構成することができない。セキュリティ・モード障害の処理装置２１による検出の結果として、ＲＲＣ「Connection Change Failure（接続変更失敗）」コマンドがＮＢ３０に送信され、それにより無線ベアラの構成設定が進行する。これは、データを送信する準備ができているが、セキュリティは使用可能ではないという状態を回避する。
【００２６】
別の例として、セキュリティ情報の一部分として送信された「セキュリティ能力（security capability）」情報が、ＷＴＲＵの能力情報に合致しない場合がある。これが生じた場合には、ＷＴＲＵ２０はメッセージ全体に対して障害（failure）を送信し、何も構成しない。失敗メッセージ（failure message）を送信し、そして何も構成しない方がより良いかもしれない他のシナリオがある場合がある。
【００２７】
あるいは、ハンドオーバ、設定、または再構成メッセージ中にて測定制御またはセキュリティ・モード情報を、その測定の構成設定または何れかの他のそのような情報が随意的であることを表すＩＥにより、ネットワークが信号送信する（signal）ことができる。ＷＴＲＵ２０は次に、例えば無効な構成設定を受信している、またはより速いハンドオーバをすることを望んでいるなど、それ自身の制約条件に基づき情報を構成する、または情報を構成しない場合がある。ＷＴＲＵ２０は、「Configuration Not Completed Value（構成設定未完了値）」または他の任意の適当な名前などの、随意的なＩＥと共にＲＲＣ「Connection Change Complete（接続変更完了）」メッセージを信号送信する場合があり、その値は、測定、設定、または完了していない構成設定の一部分を表す任意の値であることができる。ネットワークが不完全な構成設定をＷＴＲＵ２０に再び信号送信するかもしれないことをネットワークに対してこれが表す場合がある。また、随意的な構成設定情報中に、測定制御など、ＷＴＲＵ２０が判っていない、したがって構成設定を完了していない場合がある、何らかのパラメータがあるなら、ＷＴＲＵ２０はまた、RRC Connection Change（ＲＲＣ接続変更）コマンドの一部分としてそれを表すことができる。
【００２８】
構成設定の完了成功が処理装置２１によって検出されたなら、ＲＲＣ「Connection Change Complete（接続変更完了）」メッセージ２０１がＩＥを含むことなく送信される。ＲＲＣ「Connection Change Command（接続変更コマンド）」メッセージ中の何れのコマンドも構成されない可能性があることの表示は、ＩＥ「Configuration Completed（構成設定完了済み）」なしでＲＲＣ「Connection Change Failure（接続変更失敗）」メッセージ中にて送信することができる。
【００２９】
代替の開示された方法において、測定制御およびセキュリティ制御情報は、例えば設定または再構成メッセージ中に含まれるＩＥ中に含まれる。
【００３０】
セキュリティおよび測定制御情報は、設定、再構成、ハンドオーバ、またはその他の任意のコマンドとも情報を結合させるのではなく異なったＲＲＣ「Connection Change（接続変更）」コマンドとして別に送信することが可能なため、「Information included（含まれている情報）」ＩＥはＲＲＣ「Connection Change（接続変更）」コマンド中に含まれる。このＩＥは、測定制御およびセキュリティ情報がメッセージ中に埋め込まれているか否かをＷＴＲＵ２０に対して表す。「Information included（含まれている情報）」ＩＥは、列挙されたフィールドであり、そしてセキュリティ情報、測定制御情報、などに対する値を保持することができる。ＲＲＣ「Connection Change（接続変更）」コマンド中にそのようなＩＥを含むことは、ＷＴＲＵ２０が追加のメッセージを受信するために準備することを補助することができる。
【００３１】
別の代替手段においては、セキュリティおよび設定情報などの、異なる目的のための情報が結合されると、それらのそれぞれは別々の起動時刻（activation time）を伝達することができる。この代替手段によると、ＷＴＲＵ２０は２つの別々の起動時刻を格納する。ある場合においては、起動時刻を結合することができ、そしてＷＴＲＵ２０は構成設定の全体を１つの指定された起動時刻に有効にするであろう。あるいは、測定制御が設定／ハンドオーバ／再構成情報と結合される場合には、適切な識別子を使用することによって測定情報へのさらなる修正をすることができるように、測定識別子を伝達することができることが望ましい。
【００３２】
メッセージを結合するなら、例えば、整合性（integrity）チェック情報などの、共通の情報要素を結合することができる。
【００３３】
以前のＵＭＴＳのリリースにおいて、ＩＥ「DPCH Compressed Mode Info（ＤＰＣＨ圧縮済みモード情報）」は、多くの再構成／設定メッセージの部分であった。「DPCH Compressed Mode Status（ＤＰＣＨ圧縮済みモード状態）」ＩＥは、測定制御情報の部分であった。このＩＥは、測定制御メッセージが圧縮済みモードを起動することを可能にするが、それを構成することはできない。この場合には、ＷＴＲＵ２０がギャップ起動コマンドとともに測定制御コマンドを受信する前に、ＷＴＲＵ２０は、再構成メッセージを通して圧縮済みモード・ギャップ・パラメータを受信する必要がある場合がある。ＬＴＥにおいては圧縮済みモード・ギャップに代わって測定ギャップがあるが、ギャップを起動することだけはできるが、しかしそれを構成することはできないといういくつかのメッセージの制限は取り除かれる。「Measurement Gap Info（測定ギャップ情報）」などの１つの共通集合（set）にすべての測定ギャップ・パラメータを結合することができる。ＲＲＣメッセージは次に、この集合を使用して、測定ギャップを構成し、そして活性化することができる。この場合には、同一のＲＲＣメッセージが、ＷＴＲＵ２０に対するギャップを同時に構成し、そして活性化し、その結果構成設定手順を簡素化することができる。
【００３４】
実施形態
１．複数のコマンドを備えるＲＲＣメッセージを受信するステップと、
前記コマンドのそれぞれに応答して手順を開始するステップと、
前記手順のそれぞれが、首尾よく完了したか否かを判定するステップと、
前記判定に応答して、部分的完了を含み、前記ＲＲＣメッセージが首尾よく完了したか否かを表すＩＥ（情報要素）を含むリターンメッセージを送信するステップと
を備えることを特徴とするＲＲＣメッセージを取り扱うための方法。
【００３５】
２．前記ＩＥが、失敗した構成設定を表すことを特徴とする実施形態１に記載の方法。
【００３６】
３．前記ＩＥが、列挙された値を備えることを特徴とする実施形態２に記載の方法。
【００３７】
４．前記列挙された値が、設定、セキュリティ、および測定構成設定を備えることを特徴とする実施形態３に記載の方法。
【００３８】
５．前記ＩＥが、サブＩＥをさらに備えることを特徴とする実施形態１〜４の何れかに記載の方法。
【００３９】
６．前記サブＩＥが、失敗の原因を表すことを特徴とする実施形態５に記載の方法。
【００４０】
７．前記ＩＥが、構成設定完了済みメッセージを表すことを特徴とする実施形態２に記載の方法。
【００４１】
８．前記ＩＥが、サブＩＥを備えることを特徴とする実施形態７に記載の方法。
【００４２】
９．前記サブＩＥが、設定完了情報およびセキュリティ・モード完了コマンドを備えることを特徴とする実施形態８に記載の方法。
【００４３】
１０．前記ＩＥが、部分的再構成を表すことを特徴とする実施形態２に記載の方法。
【００４４】
１１．前記ＩＥが、「正（ｔｒｕｅ）」のメッセージまたは「誤（ｆａｌｓｅ）」のメッセージを備えることを特徴とする実施形態１０に記載の方法。
【００４５】
１２．前記ＩＥが正であるなら、接続変更失敗メッセージが送信されることを特徴とする実施形態１１に記載の方法。
【００４６】
１３．前記接続変更失敗メッセージが、失敗した構成設定の詳細を備えることを特徴とする実施形態１２に記載の方法。
【００４７】
１４．前記ＲＲＣメッセージが、ハンドオーバ情報および測定制御情報を含むことを特徴とする実施形態２に記載の方法。
【００４８】
１５．複数のコマンドを備えるＲＲＣメッセージを受信するステップと、
前記コマンドのそれぞれに応答して手順を開始するステップと、
前記手順のそれぞれが、首尾よく完了したか否かを判定するステップと、
前記判定に応答して、前記ＲＲＣメッセージが首尾よく完了したか否かを表すＩＥ（情報要素）を含むリターンメッセージを送信するステップと
を備えることを特徴とするＲＲＣメッセージを取り扱うための方法。
【００４９】
１６．前記複数のコマンドの内の少なくとも１つが、構成設定および測定ギャップの起動であることを特徴とする実施形態１５に記載の方法。
【００５０】
１７．前記ＲＲＣメッセージが、測定制御メッセージであることを特徴とする実施形態１５に記載の方法。
【００５１】
１８．前記複数のコマンドの内の少なくとも１つが、構成設定および測定ギャップの起動であることを特徴とする実施形態１７に記載の方法。
【００５２】
１９．実施形態１〜１８の何れかの方法を実施するように構成された処理装置を備えることを特徴とするＷＴＲＵ（無線送受信ユニット）。
【００５３】
２０．実施形態１〜１８の何れかの方法を実施するように構成された処理装置を備えることを特徴とするノードＢ。
【００５４】
２１．実施形態１〜１８の何れかの方法を実施するように構成された処理装置。
【００５５】
特徴および要素が上記で特定の組み合わせにて記述されているが、それぞれの特徴または要素は、他の特徴および要素なしで単独にて、または他の特徴および要素のあるなしに拘わらず様々な組み合わせにて使用可能である。本明細書にて提供される方法またはフローチャートは、汎用目的のコンピューターまたは処理装置による実行のための、コンピューター読み取り可能な記憶媒体に組み込まれたコンピューター・プログラム、ソフトウェア、またはファームウェアにて実施することができる。コンピューター読み取り可能な記憶媒体の例としては、ＲＯＭ（Read Only Memory）、ＲＡＭ（Random Access Memory）、レジスター、キャッシュ・メモリ、半導体メモリ・デバイス、内蔵ハード・ディスクおよび着脱可能ディスクなどの磁気媒体、磁気−光学媒体、ならびにＣＤ−ＲＯＭディスクおよびＤＶＤ（Digital Versatile Disk）などの光学媒体が含まれる。
【００５６】
適切な処理装置の例としては、汎用目的処理装置、専用目的処理装置、従来の処理装置、ＤＳＰ（Digital Signal Processor：デジタル信号処理装置）、複数のマイクロ処理装置、ＤＳＰコアに関連付けられた１つまたは複数のマイクロ処理装置、制御装置、マイクロ制御装置、ＡＳＩＣ（Application Specific Integrated Circuit：特定用途向けＩＣ）、ＦＰＧＡ（Field Programmable Gate Array）回路、他の任意の種別のＩＣ（Integrated Circuit：集積回路）、および／または状態マシンが含まれる。
【００５７】
ＷＴＲＵ（無線送受信ユニット）、ＵＥ（ユーザー端末）、端末、基地局（base station）、ＲＮＣ（Radio Network Controller：無線ネットワーク制御装置）、または任意のホスト・コンピューターにおいて使用するための無線周波数送受信機を実施するために、ソフトウェアに関連付けられた処理装置を使用することができる。ＷＴＲＵは、ハードウェアおよび／またはソフトウェアにて実施され、カメラ、ビデオ・カメラ・モジュール、テレビ電話、スピーカーフォン、振動デバイス、スピーカー、マイクロホン、テレビ送受信機、ハンズフリー受話器、キーボード、Ｂｌｕｅｔｏｏｔｈ（登録商標）モジュール、ＦＭ（Frequency Modulated：周波数変調された）無線ユニット、ＬＣＤ（Liquid Crystal Display：液晶表示）表示ユニット、ＯＬＥＤ（Organic Light-Emitting Diode：有機発光ダイオード）表示ユニット、デジタル音楽プレーヤー、メディア・プレーヤー、テレビゲーム・プレーヤー・モジュール、インターネット・ブラウザー、ならびに／または任意のＷＬＡＮ（無線ＬＡＮ）モジュールまたはＵＷＢ（Ultra Wide Band：超広帯域）モジュールなどのモジュールと連動して使用することができる。
【図１】
0005481373.tif 000004
【図２】
0005481373.tif 000005